(57)【要約】【課題】本発明は、例えば鳩が荷を搬入するフォークリフト等の車両と共に倉庫内に侵入しようとしても、確実に前記倉庫内への鳩の侵入を阻止して収納物を守ることができる極めて実用性に秀れた倉庫を提供することを目的とする。【解決手段】車両１が出入する倉庫２の開閉自在な出入口５と連設状態に前室３を設け、前室３内に外部から進入する車両１が出入する開閉自在な前室出入口４を設けて、倉庫２内へ車両１が出入する場合は、前記前室出入口４から一旦前室３内に進入し、倉庫２の出入口５から倉庫２内に進入するように前記前室３を構成すると共に、前室出入口４と倉庫２の出入口５との距離は、前記車両１がこの前室３内に進入した状態で、前室出入口４若しくは倉庫２の出入口５の一方を閉塞状態としたまま他方を開閉動作し得る距離に設定したものである。【選択図】        図２
2004196467.tif 000002
【特許請求の範囲】
【請求項１】
車両が出入する倉庫の開閉自在な出入口と連設状態に前室を設け、前室内に外部から進入する車両が出入する開閉自在な前室出入口を設けて、倉庫内へ車両が出入する場合は、前記前室出入口から一旦前室内に進入し、倉庫の出入口から倉庫内に進入するように前記前室を構成すると共に、前室出入口と倉庫の出入口との距離は、前記車両がこの前室内に進入した状態で、前室出入口若しくは倉庫の出入口の一方を閉塞状態としたまま他方を開閉動作し得る距離に設定したことを特徴とする倉庫。
【請求項２】
前記倉庫内に外部から車両が進入する際、閉塞状態の前記前室の前室出入口を車両通過可能な開放状態として一旦前室内に進入した後、この前室出入口の次の通過口となる前記倉庫の出入口若しくは前室に前室出入口とは別に設けた出入口を車両が通過するために開放状態とする前に、前記前室の前室出入口を閉塞状態とし得るように前室を構成し、この前室内に一旦進入し前記前室出入口を閉塞した状態で前記前室出入口の次の通過口となる前記倉庫の出入口若しくは前室に前室出入口とは別に設けた出入口を車両通過可能な開放状態とし得るように前室を構成したことを特徴とする請求項１に記載の倉庫。
【請求項３】
前記前室に、この前室内に侵入した動物を外部に追い出すための追出口を設けたことを特徴とする請求項１，２のいずれか１項に記載の倉庫。
【請求項４】
前記前室出入口若しくは倉庫の出入口として、走行する車両に押動されることで車両通過可能な開放状態となり、車両が通過すると戻動して自動的に閉塞状態となる構成の出入口を採用したことを特徴とする請求項１〜３のいずれか１項に記載の倉庫。
【請求項５】
前記前室出入口若しくは倉庫の出入口として、倉庫若しくは前室の上部から垂下した板状体を複数並設状態に設けた暖簾部を有する出入口を採用し、この暖簾部は、走行する車両と接触することで車両通過可能な開放状態となるように構成し、車両が通過すると戻動して自動的に閉塞状態となるように構成したことを特徴とする請求項１〜４のいずれか１項に記載の倉庫。
【請求項６】
前記暖簾部を有する出入口において、この暖簾部の下端部を床から所定距離の位置に設けると共に、この暖簾部の下端部と床との間を閉塞し得る可動板を暖簾部と略平行状態に設けたことを特徴とする請求項５に記載の倉庫。
【請求項７】
前記前室出入口若しくは倉庫の出入口として、車両が接近するとこの車両の接近を感知して自動的に車両通過可能な開放状態となり、この車両が通過すると自動的に閉塞状態となる構成の開閉部を有する出入口を採用したことを特徴とする請求項１〜３，６のいずれか１項に記載の倉庫。
【発明の詳細な説明】
【０００１】
【発明の属する技術分野】
本発明は、倉庫に関するものである。
【０００２】
【従来の技術及び発明が解決しようとする課題】
一般に、食物を収納する倉庫には動物が住み着きやすく、住み着いた場合には収納した食物が食い荒らされてしまうと共に、この動物の糞等により不衛生となり、この収納した食物の価値が著しく低下してしまうため、特に頻繁に開閉する出入口から動物が倉庫内に侵入しないように注意して管理されている。
【０００３】
しかし、倉庫に荷を搬入する際には、通常フォークリフト等の車両を用いるために、このフォークリフトが倉庫に進入するにあたってフォークリフトが通過できる程度の大きさの出入口を開放する必要がある。
【０００４】
従って、例えば大豆を収納する倉庫においては、この大豆を好物とする鳩が、フォークリフトが現れるのを狙って、開放した出入口からこのフォークリフトと一緒に倉庫内に侵入してしまうため、出入口の開閉に注意して管理したところでフォークリフトと一緒に動物が侵入するのは避けられない。
【０００５】
また、特にフォークリフトと一緒に倉庫内に侵入した動物が、上述のような鳩等の鳥である場合には、上空から侵入するために一緒に侵入したことに気が付きにくく、一旦倉庫内に侵入されると倉庫の広さ故に捕獲や駆除に非常に手間がかかることと相俟って、倉庫に収納した食物に大きな被害が生じていたのが現状である。
【０００６】
本発明は、上述のような現状に鑑み、車両が出入する倉庫の出入口と連設状態に前室を設け、前室内に外部から進入する車両が出入する開閉自在な前室出入口を設けて、倉庫内へ車両が出入する場合は、前記前室出入口から一旦前室内に進入し、倉庫の出入口から倉庫内に進入するように前記前室を構成すると共に、前室出入口と倉庫の出入口との距離は、前記車両がこの前室内に進入した状態で、前室出入口若しくは倉庫の出入口の一方を閉塞状態としたまま他方を開閉動作し得る距離に設定したことで、例えば鳩が荷を搬入するフォークリフト等の車両と共に倉庫内に侵入しようとしても、車両は倉庫内に進入する前に前室を通過することになるから、この前室において鳩が一緒に侵入したか否かを確認することができると共に、外部から直接倉庫の出入口を通って倉庫内に進入する場合よりも鳩が倉庫内に侵入しにくくなり、しかも、車両は前室出入口と倉庫の出入口とを同時に開放状態にすることなく前室を通過することができ、確実に前記倉庫内への鳩の侵入を阻止して収納物を守ることができる極めて実用性に秀れた倉庫を提供することを目的とする。
【０００７】
【課題を解決するための手段】
添付図面を参照して本発明の要旨を説明する。
【０００８】
車両１が出入する倉庫２の開閉自在な出入口５と連設状態に前室３を設け、前室３内に外部から進入する車両１が出入する開閉自在な前室出入口４を設けて、倉庫２内へ車両１が出入する場合は、前記前室出入口４から一旦前室３内に進入し、倉庫２の出入口５から倉庫２内に進入するように前記前室３を構成すると共に、前室出入口４と倉庫２の出入口５との距離は、前記車両１がこの前室３内に進入した状態で、前室出入口４若しくは倉庫２の出入口５の一方を閉塞状態としたまま他方を開閉動作し得る距離に設定したことを特徴とする倉庫に係るものである。
【０００９】
また、前記倉庫２内に外部から車両１が進入する際、閉塞状態の前記前室３の前室出入口４を車両通過可能な開放状態として一旦前室３内に進入した後、この前室出入口４の次の通過口となる前記倉庫２の出入口５若しくは前室３に前室出入口４とは別に設けた出入口を車両１が通過するために開放状態とする前に、前記前室３の前室出入口４を閉塞状態とし得るように前室３を構成し、この前室３内に一旦進入し前記前室出入口４を閉塞した状態で前記前室出入口４の次の通過口となる前記倉庫２の出入口５若しくは前室３に前室出入口４とは別に設けた出入口を車両通過可能な開放状態とし得るように前室３を構成したことを特徴とする請求項１に記載の倉庫に係るものである。
【００１０】
また、前記前室３に、この前室３内に侵入した動物を外部に追い出すための追出口６を設けたことを特徴とする請求項１，２のいずれか１項に記載の倉庫に係るものである。
【００１１】
また、前記前室出入口４若しくは倉庫２の出入口５として、走行する車両１に押動されることで車両通過可能な開放状態となり、車両１が通過すると戻動して自動的に閉塞状態となる構成の出入口を採用したことを特徴とする請求項１〜３のいずれか１項に記載の倉庫に係るものである。
【００１２】
また、前記前室出入口４若しくは倉庫２の出入口５として、倉庫２若しくは前室３の上部から垂下した板状体７を複数並設状態に設けた暖簾部８を有する出入口を採用し、この暖簾部８は、走行する車両１と接触することで車両通過可能な開放状態となるように構成し、車両１が通過すると戻動して自動的に閉塞状態となるように構成したことを特徴とする請求項１〜４のいずれか１項に記載の倉庫に係るものである。
【００１３】
また、前記暖簾部８を有する出入口において、この暖簾部８の下端部を床から所定距離の位置に設けると共に、この暖簾部８の下端部と床との間を閉塞し得る可動板９を暖簾部８と略平行状態に設けたことを特徴とする請求項５に記載の倉庫に係るものである。
【００１４】
また、前記前室出入口４若しくは倉庫２の出入口５として、車両１が接近するとこの車両１の接近を感知して自動的に車両通過可能な開放状態となり、この車両１が通過すると自動的に閉塞状態となる構成の開閉部を有する出入口を採用したことを特徴とする請求項１〜３，６のいずれか１項に記載の倉庫に係るものである。
【００１５】
【発明の実施の形態】
好適と考える本発明の実施の形態（発明をどのように実施するか）を、図面に基づいてその作用効果を示して簡単に説明する。
【００１６】
例えば、フォークリフト等の車両１により倉庫２に荷を搬入する際、車両１は倉庫２の出入口５と連設状態に設けた前室３内に一旦進入した後、倉庫２内に進入することになり、例えば鳩が車両１と一緒に倉庫２内に侵入しようとした場合、先ず鳩は前記車両１と一緒にこの前室３内に侵入することになる。
【００１７】
即ち、車両１は外部から前室出入口４と倉庫２の出入口５という二つの出入口を通過した上で倉庫２内に進入することになるから、外部から直接倉庫２の出入口５を通過して倉庫２内に進入する場合と比べ、鳩が倉庫２内に侵入しにくい。
【００１８】
また、前室３は倉庫２よりも狭く、車両１がこの前室３内に外部から進入した際に、一緒に侵入してきた鳩が広い倉庫２内のようにどこかに隠れてしまう恐れが少なく、鳩が一緒に侵入したか否かを容易に視認することができるし、仮に視認できない場合でもこの前室３内は倉庫２内程広くないため、羽ばたき等の鳩が発する音を容易に聞き取ることができるから、この前室３内に鳩が侵入した場合には容易且つ確実に確認できる。
【００１９】
更に、前室出入口４と倉庫２の出入口５との距離は、前記車両１がこの前室３内に入った状態で、前室出入口４若しくは倉庫２の出入口５の一方を閉塞状態としたまま他方を開閉動作し得る距離に設定したから、例えば前室３を、前記倉庫２内に外部から車両１が進入する際、閉塞状態の前記前室３の前室出入口４を車両通過可能な開放状態とし一旦前室３内に進入した後、この前室出入口４の次の通過口となる前記倉庫２の出入口５若しくは前室３に前室出入口４とは別に設けた出入口を車両１が通過するために開放状態とする前に、前記前室３の前室出入口４を閉塞状態とし得るように構成し、この前室３内に一旦進入し前記前室出入口４を閉塞した状態で前記前室出入口４の次の通過口となる前記倉庫２の出入口５若しくは前室３に前室出入口４とは別に設けた出入口を車両通過可能な開放状態とし得るように構成することで、車両１は前記前室出入口４と倉庫２の出入口５とを同時に開放状態にすることなく前室３を通過できる。
【００２０】
即ち、前記前室出入口４から前室３内に進入する際には、前記倉庫２の出入口５を閉塞状態にしておいて前室出入口４を開放状態にし、倉庫２の出入口５から倉庫２内に進入する際には、前記前室出入口４を閉塞状態にしておいて倉庫２の出入口を開放状態にするから、鳩が前室出入口４と倉庫２の出入口５とを一度に通過することがない。
【００２１】
従って、前室３において鳩がいるか否かを確認し、発見した場合には、前記前室出入口４から逃がしたり、一旦この前室３内から外に出たりすることで、鳩がこの前室３内から外に出るのを待ち、前記前室３内から鳩がいなくなったことを確認してから、車両１が倉庫２の出入口５を開放して倉庫２内に進入することで確実に鳩の倉庫２内への侵入を阻止することができる。
【００２２】
また、例えば前記前室３に、この前室３内に侵入した動物を外部に追い出すための追出口６を設けた場合には、前室３に鳩がいてもこの追出口６から極めて容易に逃がすことができる。
【００２３】
即ち、より短い時間で前室３内から鳩を外に出すことができることになり、極めて扱いやすくなる。
【００２４】
また、例えば前記前室出入口４若しくは倉庫２の出入口５として、走行する車両１に押動されることで車両通過可能となる開放状態となり、車両１が通過すると戻動して自動的に閉塞状態となる構成の出入口を採用した場合には、車両１を操作したままで前室３及び倉庫２を出入りすることができることになる。
【００２５】
即ち、車両１による荷の搬入の際、前記前室３を設けたことによる作業効率の低下を防ぐことができる。
【００２６】
従って、本発明は、例えば鳩が荷を搬入するフォークリフト等の車両と共に倉庫内に侵入しようとしても、前室において鳩が一緒に侵入したか否かを確認することができると共に、外部から直接倉庫の出入口を通って倉庫内に進入する場合よりも鳩が倉庫内に侵入しにくくなり、しかも、車両は前室出入口と倉庫の出入口とを同時に開放状態にすることなく前室を通過することができ、確実に前記倉庫内への鳩の侵入を阻止して収納物を守ることができる極めて実用性に秀れた倉庫を提供できることとなる。
【００２７】
【実施例】
本発明の具体的な実施例について説明する。
【００２８】
本実施例は、車両１が出入する倉庫２の開閉自在な出入口５と連設状態に前室３を設け、前室３内に外部から進入する車両１が出入する開閉自在な前室出入口４を設けて、倉庫２内へ車両１が出入する場合は、前記前室出入口４から一旦前室３内に進入し、倉庫２の出入口５から倉庫２内に進入するように前記前室３を構成すると共に、前室出入口４と倉庫２の出入口５との距離は、前記車両１がこの前室３内に進入した状態で、前室出入口４若しくは倉庫２の出入口５の一方を閉塞状態としたまま他方を開閉動作し得る距離に設定したものである。
【００２９】
具体的には、前記倉庫２内に外部から車両１が進入する際、閉塞状態の前記前室３の前室出入口４を車両通過可能な開放状態として一旦前室３内に進入した後、この前室出入口４の次の通過口となる前記倉庫２の出入口５若しくは前室３に前室出入口４とは別に設けた出入口を車両１が通過するために開放状態とする前に、前記前室３の前室出入口４を閉塞状態とし得るように前室３を構成し、この前室３内に一旦進入し前記前室出入口４を閉塞した状態で前記前室出入口４の次の通過口となる前記倉庫２の出入口５若しくは前室３に前室出入口４とは別に設けた出入口を車両通過可能な開放状態とし得るように前室３を構成したものである。
【００３０】
また、本実施例においては前室出入口４及び倉庫２の出入口５として、走行する車両１に押動されることで開放状態となり、車両１が通過すると戻動して自動的に閉塞状態となる構成の出入口を採用している。
【００３１】
具体的には、図１に図示したように前室３の上部から垂下したビニール製の板状体７を複数並設状態に設けた暖簾部８を有する出入口を採用し、この暖簾部８は、走行する車両１と接触することで車両通過可能な解放状態となるように構成し、この暖簾部８の下端部を床から所定距離の位置（車両１のタイヤより高い位置）に設けると共に、この暖簾部８の下端部と床との間を閉塞し得る可動板９を暖簾部８と略平行状態に設けている。この可動板９は、下端部を前室３の床に枢着され、上端部をスプリングバランサー10に一端を巻き取られたロープ11により引っ張られた構成としている。
【００３２】
この暖簾部８を有する出入口は、進行する前記車両１と接触した前記暖簾部８を構成する一部の板状体７及び可動板９が押動されて車両通過可能な開放状態となり、暖簾部８は複数の板状体７により周囲を囲まれながら進行する車両１の進行に伴って車両１と接触しなくなった部分から自動的に戻動して閉塞状態となるように構成し、可動板９は、進行する車両１によりスプリングバランサー10に巻き取られたロープ11を引き出しながら押動されて前室３の床と略平行状態となり、前記車両１が通過すると、前記スプリングバランサー10によりロープ11が巻き取られることで戻動して閉塞状態となるように構成している。
【００３３】
また、前室３の側壁上部には、この前室３内に侵入した動物（鳥）を追い出すための追出口６を設けている。この追出口６には、この追出口６を開閉する前室３の側壁の外側に上部を枢着して下部を上下方向に旋回可能に構成した板体から成る開閉部12を設けている。この板体の旋回可能範囲は、前記側壁に対して０°〜９０°程度に設定し、この追出口６を開放した状態でも外部から前室３内に鳩が侵入しにくいように設定している。また、板体はリモコン操作で旋回するように構成し、追出口６を自動的に開閉できるように構成している。
【００３４】
また、車両１は大豆を収納する倉庫２に荷を搬入するためのフォークリフトである。
【００３５】
本実施例は上述のように構成したから、車両１により外部から倉庫２に荷を搬入するために、図３に図示したように前室出入口４から前室３内に進入する際、この前室出入口４は進行する車両１と接触した一部を車両通過可能な開放状態とし、この車両１の進行に伴い接触しない部分から自動的に戻動して閉塞状態となるから、前記車両１が通過するための最小限の空間しか開放せず、鳩が車両１と一緒にこの前室３内に侵入しにくく、また、倉庫２の出入口５は閉塞状態であるから、仮にこの前室３内に鳩が侵入した場合でも、倉庫２内への侵入は阻止されることになる。
【００３６】
図４に図示したように前室３内へ車両１が進入すると、前室出入口４及び倉庫２の出入口５が共に閉塞状態となり、この車両１が存する前室３内には、新たに鳩が侵入せず且つこの前室３内にいる鳩の倉庫２内への侵入が阻止されるから、前室３において鳩がいるか否かを確認し、発見した場合には、鳩を前記追出口６から開閉部12を開放状態として逃がした後、前室３内から鳩がいなくなったことを確認し、図５に図示したように車両１が倉庫２の出入口５から倉庫２内に進入することで確実に鳩の倉庫２内への侵入を阻止することができる。
【００３７】
また、前記倉庫２の出入口５を上述の暖簾部８を有する出入口としているから、仮に前室３内で鳩がいるか否かを確認しなくても鳩が倉庫２内に侵入しにくい。
【００３８】
また、前記暖簾部８の下端部と床との間を閉塞し得る可動板９を設けているから、前室３の上部から床までを暖簾部８で構成した場合と比べ、走行する車両１のタイヤに暖簾部８がからまりにくく、また、可動板９は下方に設けているから、この可動板９が開放状態となっても鳩は侵入しにくい。
【００３９】
また、前記前室出入口４と倉庫２の出入口５及び追出口６は夫々自動的に開閉するように構成したから、車両１に乗ったままで前室３を通過して倉庫２内に進入することができ、この前室３を設けたことによる作業効率の低下を防ぐことができる。
【００４０】
尚、本実施例においては、上述のように前室出入口４及び倉庫２の出入口５を構成して車両１がスムーズに通過できるようにしたが、他の構成、例えば車両１が接近するとこの車両１の接近を感知して開放状態となり、この車両１が通過すると自動的に閉塞状態となる開閉部を有する構成としても良く、この場合には、車両１と前記前室出入口４及び倉庫２の出入口５とが接触することなく開放状態とすることができ、よりスムーズに通過できることになる。
【００４１】
また、本実施例においては、前室出入口４と倉庫２の出入口５とを同じ構成としたが、異なる構成、例えば、倉庫２の出入口５として予めこの倉庫２に設けられた扉を採用しても良く、この場合には、前室３を設けるだけで倉庫２をそのまま使用することができるから、施工が極めて容易且つコスト安となる。
【００４２】
また、本実施例においては、前記追出口６に設けた開閉部12を自動的に開閉するように構成したが、手動で開閉するように構成しても良い。
【００４３】
従って、本実施例は、鳩が荷を搬入するフォークリフト等の車両と共に倉庫内に侵入しようとしても、前室において鳩が一緒に侵入したか否かを確認することができると共に、外部から直接倉庫の出入口を通って倉庫内に進入する場合よりも鳩が倉庫内に侵入しにくくなり、しかも、車両は前室出入口と倉庫の出入口とを同時に開放状態にすることなく前室を通過することができ、確実に前記倉庫内への鳩の侵入を阻止して収納物を守ることができる極めて実用性に秀れたものとなる。
【００４４】
【発明の効果】
本発明は上述のように構成したから、例えば鳩が荷を搬入するフォークリフト等の車両と共に倉庫内に侵入しようとしても、前室において鳩が一緒に侵入したか否かを確認することができると共に、外部から直接倉庫の出入口を通って倉庫内に進入する場合よりも鳩が倉庫内に侵入しにくくなり、しかも、車両は前室出入口と倉庫の出入口とを同時に開放状態にすることなく前室を通過することができ、確実に前記倉庫内への鳩の侵入を阻止して収納物を守ることができる極めて実用性に秀れた倉庫となる。
【００４５】
また、請求項２に記載の発明においては、より一層確実に倉庫内へ動物が侵入することを防ぐことができる実用性に秀れたものとなる。
【００４６】
また、請求項３に記載の発明においては、より短い時間で前室内から動物を外に出すことができることになり、極めて扱いやすい一層実用性に秀れたものとなる。
【００４７】
また、請求項４に記載の発明においては、車両による荷の搬入の際、前記前室を設けたことによる作業効率の低下を防ぐことができる一層実用性に秀れたものとなる。
【００４８】
また、請求項５に記載の発明においては、動物が車両と一緒に出入口から侵入しにくくなるより一層実用性に秀れたものとなる。
【００４９】
また、請求項６に記載の発明においては、進行する車両のタイヤに暖簾部がからまることを阻止できるより一層実用性に秀れたものとなる。
【００５０】
また、請求項７に記載の発明においては、よりスムーズに出入口を通過することができる一層実用性に秀れたものとなる。
【図面の簡単な説明】
【図１】本実施例の説明正面図である。
【図２】本実施例の説明側断面図である。
【図３】本実施例の説明側断面図である。
【図４】本実施例の説明側断面図である。
【図５】本実施例の説明側断面図である。
【符号の説明】
１  車両
２  倉庫
３  前室
４  前室出入口
５  出入口
６  追出口
７  板状体
８  暖簾部
９  可動板
【図１】
2004196467.tif 000003
【図２】
2004196467.tif 000004
【図３】
2004196467.tif 000005
【図４】
2004196467.tif 000006
【図５】
2004196467.tif 000007